(57)【特許請求の範囲】
【請求項１】
送信信号を変調して変調信号を生成する変調手段と、
外部装置から入力される外部入力信号の周波数を変換して中間周波数信号を生成する周波数変換手段と、
前記変調信号又は前記中間周波数信号を復調して復調信号を生成する復調手段と、
前記復調信号に基づいて、前記送信信号の振幅を調整する調整手段と、を備え、
前記外部装置との通信を行う通信モードの場合、
前記変調手段は、前記外部装置へ出力する際に設定する第１の周波数を用いて生成した第１の変調信号を前記外部装置へ出力し、
前記周波数変換手段は、前記外部入力信号に設定されている第２の周波数を、第３の周波数の前記中間周波数信号に変換し、
前記復調手段は、前記中間周波数信号を復調して第１の復調信号を生成し、
前記送信信号の振幅を調整する調整モードの場合、
前記変調手段は、前記第３の周波数を用いて生成した第２の変調信号を、前記周波数変換手段を経由せずに前記復調手段へ出力し、
前記復調手段は、前記第２の変調信号を復調して第２の復調信号を生成し、
前記調整手段は、前記第２の復調信号に基づいて、前記送信信号の振幅を調整する、変復調装置。
【請求項２】
前記第１の周波数のローカル信号を出力する第１の発振器と、
前記第３の周波数のローカル信号を出力する第２の発振器と、をさらに備え、
前記変調手段は、
前記変復調装置が前記通信モードにて動作する場合、前記第１の発振器から出力されるローカル信号を用いて第１の変調信号を生成し、
前記変復調装置が前記調整モードにて動作する場合、前記第２の発振器から出力されるローカル信号を用いて第２の変調信号を生成する、請求項１記載の変復調装置。
【請求項３】
前記第１又は第２の発振器から出力されるローカル信号のうち一方を選択して前記変調手段へ出力する第１の選択手段と、
前記復調手段と前記外部装置とのいずれか一方を選択して前記変調手段によって生成された前記第１の変調信号を出力する第２の選択手段と、
前記変調手段から出力された前記第２の変調信号と前記中間周波数信号とのいずれか一方を選択して前記復調手段へ出力する第３の選択手段と、をさらに備え、
前記通信モードの場合、
前記第１の選択手段は、前記第１の発振器から出力されるローカル信号を選択し、
前記第２の選択手段は、前記外部装置を選択し
前記第３の選択手段は、前記中間周波数信号を選択し、
前記調整モードの場合、
前記第１の選択手段は、前記第２の発振器から出力されるローカル信号を選択し、
前記第２の選択手段は、前記復調手段を選択し、
前記第３の選択手段は、前記第２の変調信号を選択する、請求項１又は２記載の変復調装置。
【請求項４】
前記変調手段は、
同相成分信号と直交成分信号とを直交変調し、
前記復調手段は、
前記変調信号又は前記外部入力信号から同相成分信号と直交成分信号とを直交復調する、請求項１乃至３のいずれか１項に記載の変復調装置。
【請求項５】
送信信号を変調して変調信号を生成するステップと、
外部装置から入力される外部入力信号の周波数を変換して中間周波数信号を生成するステップと、
前記変調信号又は前記中間周波数信号を復調して復調信号を生成するステップと、
前記復調信号に基づいて、前記送信信号の振幅を調整するステップと、を備え、
前記外部装置と通信を行う通信モードの場合、
前記変調信号を生成するステップは、前記外部装置へ出力する際に設定する第１の周波数を用いて生成した第１の変調信号を前記外部装置へ出力し、
前記中間周波数信号を生成するステップは、前記外部入力信号に設定されている第２の周波数を、第３の周波数の中間周波数に変換し、前記中間周波数信号を生成し、
前記復調信号を生成するステップは、前記第３の周波数が設定された前記中間周波数信号を復調して第１の復調信号を生成し、
前記送信信号の振幅を調整する調整モードの場合、
前記変調信号を生成するステップは、前記第３の周波数を用いて生成した第２の変調信号を生成し、
前記復調信号を生成するステップは、前記第２の変調信号を、前記中間周波数信号を生成するステップ実行することなく、前記第２の変調信号を復調して第２の復調信号を生成し、
前記送信信号の振幅を調整するステップは、前記第２の復調信号に基づいて、前記送信信号の振幅を調整する、振幅調整方法。
【発明の詳細な説明】
【技術分野】
【０００１】
本発明は変復調装置及び振幅調整方法に関し、特に同一装置内において折り返される信号を用いた変復調装置及び振幅調整方法に関する。
【背景技術】
【０００２】
携帯電話機等を用いた無線通信を行う場合、データを送信する送信器は、ＱＰＳＫ又はＱＡＭ等の直交変調方式により送信データを変調して受信器へ送信することがある。この場合、受信器が受信したデータには、送信器において変調された際に、振幅値の変動（振幅ずれ）等が発生する。受信器が、振幅ずれ等が発生した変調信号を復調した場合に、受信信号の特性が劣化するという問題がある。【０００３】
このような問題を解決するために、特許文献１には、直交変調器により生成された信号を、同一装置内の直交復調器を用いて復調し、復調した信号を用いて、直交変調器によって直交変調される信号の利得等を補正する直交変調装置が開示されている。特許文献１に開示されている直交変調装置について、図５を用いて説明する。【０００４】
直交変調装置は、変調用信号発生器１０１と、補正部１０２と、デジタルアナログ（Ｄ／Ａ）変換器１０３と、直交変調器１０４と、スイッチ１０５と、第１ローカル信号発生器１０６と、第２ローカル信号発生器１０７と、制御部１０８と、周波数変換器１０９と、アナログデジタル（Ａ／Ｄ）変換器１１０と、直交変調器１１１と、誤差算出部１１２と、出力端子１１３と、を備えている。【０００５】
直交変調器１０４は、同相成分信号Ｉ及び直交成分信号Ｑと、第１ローカル信号発生器１０６から出力された第１ローカル信号Ｌａと、を用いて、キャリア周波数をｆｃとする直交変調信号Ｘを生成する。直交変調信号Ｘは、通常モードのときには、スイッチ１０５を介して、出力端子１１３へ出力される。また、直交変調信号Ｘは、校正モードのときには、スイッチ１０５を介して、周波数変換器１０９へ出力される。【０００６】
周波数変換器１０９は、入力された直交変調信号Ｘと、第２ローカル信号発生器１０７から出力された周波数（ｆｃ−ｆｉ）の第２ローカル信号とを混合し、周波数ｆｉを中心とする中間周波数帯の信号Ｙのみを抽出する。Ａ／Ｄ変換器１１０は、周波数変換器１０９から出力された信号Ｙをデジタル信号に変換し、直交復調器１１１へ出力する。【０００７】
直交復調器１１１は、互いに位相が直交し、周波数をｆｉとするローカル信号を信号Ｙに乗算することにより、中間周波数より十分に低い変調周波数帯の同相成分信号Ｉと、直交成分信号Ｑとを復調する。誤差算出部１１２は、同相成分信号Ｉ及び直交成分信号Ｑに基づいて、直交変調器１０４における振幅誤差、位相誤差等を算出する。制御部１０８は、誤差算出部１１２において算出された振幅誤差、位相誤差等を相殺する補正値を補正部１０２へ通知する。補正部１０２は、変調用信号発生器１０１より出力された同相成分信号Ｉ及び直交成分信号Ｑに制御部１０８から通知された補正値を用いて補正を実行し、Ｄ／Ａ変換器１０３へ出力する。【０００８】
このようにすることにより、直交変調装置は、直交変調器１０４において発生する振幅誤差、位相誤差等を補正した信号を出力することができる。
【先行技術文献】
【特許文献】
【０００９】
【特許文献１】特開２００６−３１１０５６号公報
【発明の概要】
【発明が解決しようとする課題】
【００１０】
しかし、特許文献１に開示されている直交変調装置は、次のような問題がある。特許文献１の直交変調装置は、出力端子１１３及び周波数変換器１０９へ出力する直交変調信号Ｘの周波数が同一である。つまり、直交変調信号Ｘには高周波信号が用いられる。そのため、直交変調信号Ｘは、周波数変換器１０９によって中間周波数帯の周波数へ変換される。これにより、校正モードにおいて使用される直交変調信号Ｘは、周波数変換器１０９によって周波数変換されるため、周波数変換器１０９におけるノイズの影響を受けるという問題がある。【００１１】
本発明はこのような問題を解決するためになされたものであり、同一装置内に変調器と復調器とを備える場合に、周波数変換におけるノイズの影響を受けることなく変調器から出力される信号を処理することができる変復調装置及び振幅調整方法を提供することを目的とする。
【課題を解決するための手段】
【００１２】
本発明の第１の態様にかかる変復調装置は、送信信号を変調して変調信号を生成する変調部と、外部装置から入力される外部入力信号の周波数を変換して中間周波数信号を生成する周波数変換部と、前記変調信号又は前記中間周波数信号を復調して受信信号を生成する復調部と、前記受信信号に基づいて、前記送信信号の振幅を調整する調整部と、を備え、前記外部装置との通信を行う通信モードの場合、前記変調部は、前記外部装置へ出力する際に設定する前記第１の周波数を用いて生成した第１の変調信号を前記外部装置へ出力し、前記周波数変換部は、前記外部入力信号に設定されている第２の周波数を、第３の周波数の前記中間周波数信号に変換し、前記復調部は、前記中間周波数信号を復調して第１の受信信号を生成し、前記送信信号の振幅を調整する調整モードの場合、前記変調部は、前記第３の周波数を用いて生成した第２の変調信号を、前記周波数変換部を経由せずに前記復調部へ出力し、前記復調部は、前記第２の変調信号を復調して第２の受信信号を生成し、前記調整部は、前記第２の受信信号に基づいて、前記送信信号の振幅を調整するものである。【００１３】
本発明の第２の態様にかかる振幅調整方法は、送信信号を変調して変調信号を生成するステップと、外部装置から入力される外部入力信号の周波数を変換して中間周波数信号を生成するステップと、前記変調信号又は前記中間周波数信号を復調して受信信号を生成するステップと、前記受信信号に基づいて、前記送信信号の振幅を調整するステップと、を備え、前記外部装置と通信を行う通信モードの場合、前記変調信号を生成するステップは、前記外部装置へ出力する際に設定する第１の周波数を用いて生成した第１の変調信号を前記外部装置へ出力し、前記中間周波数信号を生成するステップは、前記外部入力信号に設定されている第２の周波数を、第３の周波数の中間周波数に変換し、前記中間周波数信号を生成し、前記受信信号を生成するステップは、前記第３の周波数が設定された前記中間周波数信号を復調して第１の受信信号を生成し、前記送信信号の振幅を調整する調整モードの場合、前記変調信号を生成するステップは、前記第３の周波数を用いて生成した第２の変調信号を生成し、前記受信信号を生成するステップは、前記第２の変調信号を、前記中間周波数信号を生成するステップ実行することなく、前記第２の変調信号を復調して第２の受信信号を生成し、前記送信信号の振幅を調整するステップは、前記第２の受信信号に基づいて、前記送信信号の振幅を調整するものである。
【発明の効果】
【００１４】
本発明により、同一装置内に変調器と復調器とを備える場合に、周波数変換におけるノイズの影響を受けることなく変調器から出力される信号を処理することができる変復調装置及び振幅調整方法を提供することができる。
【図面の簡単な説明】
【００１５】
【図１】実施の形態１にかかる変復調装置の構成図である。
【図２】実施の形態１にかかる変復調装置の構成図である。
【図３】実施の形態１にかかるコンスタレーションを示す図である。
【図４】実施の形態１にかかるコンスタレーションを示す図である。
【図５】特許文献１にかかる直交変調装置の構成図である。
【発明を実施するための形態】
【００１６】
（実施の形態１）
以下、図面を参照して本発明の実施の形態について説明する。図１を用いて本発明の実施の形態１にかかる変復調装置の構成例について説明する。変復調装置１０は、送信部１１と、受信部１３と、調整部１６と、を備えている。送信部１１は、変調部１２を有している。受信部１３は、復調部１４と、周波数変換部１５とを備えている。また、変復調装置１０は、無線信号を用いて外部装置５０と通信を行う。
【００１７】
変調部１２は、送信信号を変調して変調信号を生成する。変調部１２は、変調信号を生成する際に、周波数を可変とするローカル信号を用いる。周波数を可変とするローカル信号は、所定の周波数範囲において、周波数を可変にしてローカル信号を出力する周波数シンセサイザにより生成されてもよく、固定周波数のローカル信号を出力する複数の発振器により生成されてもよい。変調部１２は、生成した変調信号を、復調部１４又は外部装置５０へ出力する。
【００１８】
周波数変換部１５は、外部装置５０から入力される外部入力信号の周波数を変換して、中間周波数信号を生成する。例えば、周波数変換部１５は、高周波数信号である外部入力信号の周波数を、中間周波数帯の周波数へ変換する。
【００１９】
復調部１４は、変調部１２から出力される変調信号又は周波数変換部１５から出力される中間周波数信号を復調して受信信号を生成する。復調部１４は、変調部１２から出力される変調信号を復調した復調信号を、調整部１６へ出力する。
【００２０】
調整部１６は、復調部１４から出力された受信信号に基づいて、変調部１２へ出力する送信信号の振幅を調整する。調整部１６において送信信号の振幅を調整することにより、変調部１２から出力される変調信号に発生する振幅誤差を減少させることができる。
【００２１】
続いて、図１の変復調装置１０及び外部装置５０における信号の流れについて説明する。変復調装置１０は、外部装置５０と通信を実行する通信モードと変調部１１へ入力される送信信号の振幅を調整する調整モードと、のいずれかを選択して動作を実行する。
【００２２】
はじめに、通信モードが選択された変復調装置１０における信号の流れについて説明する。変調部１２は、送信信号を、外部装置５０へ出力する際に設定する周波数を用いて、送信変調信号を生成する。さらに、変調部１２は、生成した送信変調信号を外部装置５０へ出力する。周波数変換部１５は、外部装置５０から入力される外部入力信号に設定されている周波数を、中間周波数帯の周波数に変換し、中間周波数信号を生成する。復調部１４は、中間周波数信号を復調して、受信信号を生成する。
【００２３】
次に、調整モードが選択された変復調装置１０における信号の流れについて説明する。変調部１２は、周波数変換部１５から出力される中間周波数信号に設定されている周波数と実質的に同一の周波数を設定した変調信号を生成する。また、変調部１２は、生成した変調信号を、周波数変換部１５を経由せずに復調部１４へ出力する。復調部１４は、出力された変調信号を復調して受信信号を生成する。調整部１６は、調整モードにおいて動作時の復調部１４から出力された受信信号に基づいて、変調部１２へ出力する送信信号の振幅を調整する。
【００２４】
以上説明したように、図１における変復調装置１０を用いることにより、変調部１２は、調整モードにおいて、周波数変換部１５から出力される中間周波数信号と同一の周波数を設定して、復調部１４へ出力することができる。そのため、送信部１１から受信部１３へ折り返される変調信号は、周波数変換部１５を経由せずに、復調部１４へ出力される。これにより、復調部１４は、周波数変換部１５においてノイズの影響を受けていない変調信号を復調して受信信号を生成する。さらに、復調部１４は生成した受信信号を調整部１６へ出力することができる。
【００２５】
続いて、図２を用いて本発明の実施の形態１における変復調装置の詳細な構成例について説明する。変復調装置１０は、変調器側（送信部側）に、デジタルアナログ（Ｄ／Ａ）変換器２１と、Ｄ／Ａ変換器２２と、直交変調器２３と、セレクタ２４と、セレクタ２５と、発振器２６と、発振器２７と、振幅調整回路２８とを備えている。さらに、変復調装置１０は、復調器側（受信部側）に、セレクタ３１と、直交復調器３２と、発振器３３と、アナログデジタル（Ａ／Ｄ）変換器３４と、Ａ／Ｄ変換器３５と、復調器補正回路３６と、位相回転器３７と、ＣＡＲＲ  ＰＤ３８と、ＣＡＲＲ  ＬＰＦ３９と、数値制御発振器４０と、変調器振幅補正回路４１と、を備えている。図２においては、復調器が、周波数変換部１５において周波数変換された中間周波数信号を取得する例について説明する。なお、周波数変換部１５は、復調器内に備えられてもよい。
【００２６】
Ｄ／Ａ変換器２１は、振幅調整回路２８から出力される同相成分信号（以下、Ｉｃｈと称する）をアナログ信号に変換する。Ｄ／Ａ変換器２１は、アナログ信号に変換したＩｃｈを直交変調器２３へ出力する。また、Ｄ／Ａ変換器２２は、振幅調整回路２８から出力される直交成分信号（以下、Ｑｃｈと称する）をアナログ信号に変換する。Ｑｃｈは、Ｉｃｈと比較してπ／２位相がずれている。Ｄ／Ａ変換器２２は、アナログ信号に変換したＱｃｈを直交変調器２３へ出力する。なお、ＩｃｈとＱｃｈとは、直交するベースバンド成分の一般的な表記である。
【００２７】
直交変調器２３は、セレクタ２５により選択されたローカル信号ｔｘ＿ｌｏｃａｌを搬送波として、ベースバンド信号Ｉｃｈとベースバンド信号Ｑｃｈとを直交変調する。直交変調器２３は、ベースバンド信号Ｉｃｈとベースバンド信号Ｑｃｈとを直交変調することによって生成した直交変調信号ＱＭＯＤＯＵＴをセレクタ２４へ出力する。
【００２８】
セレクタ２５は、直交変調器２３において用いられる搬送波の周波数を選択する。つまり、セレクタ２５は、発振器２６のローカル信号ｆｃ＿ｌｂを搬送波とするか、発振器２７のローカル信号ｆｃ＿ｔｘを搬送波とするかを選択する。セレクタ２５は、外部から入力されるＩＦＬＯＯＰＢＡＣＫ切替信号を用いて、ローカル信号ｆｃ＿ｌｂ又はローカル信号ｆｃ＿ｔｘを選択する。ＩＦＬＯＯＰＢＡＣＫ切替信号は、調整モードと通信モードとの切り替えに用いられる。ＩＦＬＯＯＰＢＡＣＫ切替信号が、調整モードに設定されている場合、セレクタ２５は、ローカル信号ｆｃ＿ｌｂを選択して、直交変調器２３へ出力する。ＩＦＬＯＯＰＢＡＣＫ切替信号が、通信モードに設定されている場合、セレクタ２５は、ローカル信号ｆｃ＿ｔｘを選択して、直交変調器２３へ出力する。
【００２９】
また、ローカル信号ｆｃ＿ｌｂは、復調器に入力される中間周波数信号と同一の周波数が設定されている。もしくは、発振器３３から出力されるローカル信号ｆｃ＿ｒｘと同一の周波数が設定されてもよい。
【００３０】
セレクタ２４は、直交変調器２３から出力される直交変調信号ＱＭＯＤＯＵＴを、外部装置５０へ出力する出力信号ＩＦＯＵＴとして出力するか、復調器側へ出力する出力信号ＩＦＬＯＯＰＢＡＣＫＯＵＴとして出力するかを、選択する。セレクタ２４は、ＩＦＬＯＯＰＢＡＣＫ切替信号を用いて出力先を選択する。ＩＦＬＯＯＰＢＡＣＫ切替信号が、調整モードに設定されている場合、セレクタ２４は、出力信号ＩＦＬＯＯＰＢＡＣＫＯＵＴを出力する。ＩＦＬＯＯＰＢＡＣＫ切替信号が、通信モードに設定されている場合、セレクタ２４は、出力信号ＩＦＯＵＴを出力する。
【００３１】
セレクタ３１は、外部装置５０から入力され、周波数変換部１５において中間周波数帯の周波数へ変換された中間周波数信号ＩＦＩＮと、セレクタ２４から出力される出力信号ＩＦＬＯＯＰＢＡＣＫＯＵＴとのいずれかを選択して、直交復調器３２へ出力する。セレクタ３１は、ＩＦＬＯＯＰＢＡＣＫ切替信号を用いて出力先を選択する。ＩＦＬＯＯＰＢＡＣＫ切替信号が、調整モードに設定されている場合、セレクタ３１は、出力信号ＩＦＬＯＯＰＢＡＣＫＯＵＴを直交復調器３２へ出力する。ＩＦＬＯＯＰＢＡＣＫ切替信号が、通信モードに設定されている場合、セレクタ３１は、中間周波数信号ＩＦＩＮを直交復調器３２へ出力する。
【００３２】
直交復調器３２は、発振器３３から出力されるローカル信号ｆｃ＿ｒｘを用いて、セレクタ３１から出力される信号を直交復調する。直交復調器３２は、ローカル信号ｆｃ＿ｒｘと、ローカル信号ｆｃ＿ｒｘと位相がπ／２ずれている信号とを用いて、ベースバンド信号Ｉｃｈとベースバンド信号Ｑｃｈとを復調する。直交復調器３２は、中間周波数信号ＩＦＩＮ又は出力信号ＩＦＬＯＯＰＢＡＣＫを、中間周波数帯の周波数よりも十分に低い周波数帯のベースバンド信号を生成する。
【００３３】
アナログデジタル（Ａ／Ｄ）変換器３４は、ベースバンド信号Ｉｃｈをデジタル信号へ変換する。Ａ／Ｄ変換器３５は、ベースバンド信号Ｑｃｈをデジタル信号へ変換する。なお、本図においては、Ａ／Ｄ変換器３４及びＡ／Ｄ変換器３５が、直交復調器３２の後段に配置されているが、直交復調器３２の前段に配置されてもよい。
【００３４】
復調器補正回路３６は、直交復調器３２において発生したベースバンド信号Ｉｃｈとベースバンド信号Ｑｃｈ間の振幅差を補正する。もしくは、復調器補正回路３６は、Ａ／Ｄ変換器３４及びＡ／Ｄ変換器３５において生成したデジタル信号Ｉｃｈとデジタル信号Ｑｃｈとの間の振幅差を補正する。
【００３５】
位相回転器３７は、復調器補正回路３６から出力されるデジタル信号Ｉｃｈとデジタル信号Ｑｃｈとに発生している位相回転を除去して再生信号Ｉｃｈと、再生信号Ｑｃｈとを出力する。具体的には、位相回転器３７は、ＣＡＲＲ  ＰＤ３８と、ＣＡＲＲ  ＬＰＦ３９と、数値制御発振器４０と、を用いたフィードバック制御により、再生信号Ｉｃｈと再生信号Ｑｃｈとを出力する。
【００３６】
ＣＡＲＲ  ＰＤ３８は、基準信号を生成する。ＣＡＲＲ  ＰＤ３８は、基準信号と再生信号Ｉｃｈとの位相誤差、さらに、基準信号と再生信号Ｑｃｈとの位相誤差を検出する。ＣＡＲＲ  ＰＤ３８は、検出した位相誤差を示す位相誤差信号ＰＤＯＵＴを出力する。位相誤差信号ＰＤＯＵＴは、少なくとも、再生信号Ｉｃｈ及び再生信号Ｑｃｈの位相が進んでいるか、遅れているかが示されていればよい。たとえば、ＣＡＲＲ  ＰＤ３８は、再生信号の位相が進んでいれば、「＋１」の位相誤差信号ＰＤＯＵＴを生成し、再生信号の位相が遅れていれば、「−１」の位相誤差ＰＤＯＵＴを生成する。また、ＣＡＲＲ  ＰＤ３８は、位相の遅れ進みの大小に応じた連続の値を有する位相誤差信号ＰＤＯＵＴを生成してもよい。
【００３７】
ＣＡＲＲ  ＬＰＦ３９は、ＣＡＲＲ  ＰＤ３８から出力された位相誤差信号ＰＤＯＵＴの高周波成分を取り除き、位相誤差積算信号ＬＰＦＯＵＴを数値制御発振器４０へ出力する。
【００３８】
数値制御発振器４０は、正弦波信号を発生する正弦波発振器である。正弦波信号は、位相誤差積算信号ＬＰＦＯＵＴの大小に応じて周波数が変化する。数値制御発振器４０は、位相誤差積算信号ＬＰＦＯＵＴを角度に対応する値に変換する。数値制御発振器４０は、その角度に応じた値を示す制御信号ｃｏｓΔωｔ及び制御信号ｓｉｎΔωｔを生成し、位相回転器３７へ出力する。制御信号ｃｏｓΔωｔ及び制御信号ｓｉｎΔωｔは、互いに位相がπ／２異なる信号である。
【００３９】
位相回転器３７は、制御信号ｃｏｓΔωｔ及び制御信号ｓｉｎΔωｔに基づいて、復調器補正回路３６から出力された再生信号Ｉｃｈと再生信号Ｑｃｈとに対して、回転を与える。これにより、位相誤差が除去された再生信号Ｉｃｈと再生信号Ｑｃｈとが変調器振幅補正回路４１へ出力される。
【００４０】
変調器振幅補正回路４１は、図３に示すように、変調器側において発生した再生信号Ｉｃｈ及び再生信号Ｑｃｈ間の振幅差、及び、直交変調方式（図３の例においては１６ＱＡＭ）における格子点からの振幅ずれを検出する。ここで、図３及び図４を用いて、再生信号Ｉｃｈと再生信号Ｑｃｈとにより示されるコンスタレーションの一例について説明する。
【００４１】
図３において、横軸は、再生信号Ｉｃｈの振幅を示し、縦軸は、再生信号Ｑｃｈの振幅を示す。また、白丸を用いて示される点は、１６ＱＡＭにおける正規の信号点である。黒丸を用いて示される点は、振幅ずれの生じた信号点であり、再生信号Ｉｃｈと再生信号Ｑｃｈの信号点である。図４は、図３における円６０を拡大して示した図である。
【００４２】
図４において、Ｄｉは、正規の信号点における再生信号Ｉｃｈの振幅を示す。また、Ｄｑは、正規の信号点における再生信号Ｑｃｈの振幅を示す。ΔＤｉは、正規の信号点と振幅ずれが生じた信号点とのＩｃｈにおける振幅差を示す。ΔＤｑは、正規の信号点と振幅ずれが生じた信号点とのＱｃｈにおける振幅差を示す。
【００４３】
変調器振幅補正回路４１は、再生信号Ｉｃｈ及び再生信号Ｑｃｈについて、振幅差を示すΔＤｉ及びΔＤｑを解消する補正を行い、振幅ずれが生じた信号点が、正規の信号点に重なるように補正を行う。また、調整モードにおいて、変調器振幅補正回路４１は、変調器側にて発生した振幅ずれに関する情報として、ΔＤｉとΔＤｑとに関する情報を振幅補正信号として、振幅調整回路２８へ出力する。振幅調整回路２８は、振幅補正信号に基づいて、変調器側における振幅ずれが生じないように、Ｉｃｈ及びＱｃｈの振幅を調整して、Ｄ／Ａ変換器２１及びＤ／Ａ変換器２２へ出力する。
【００４４】
以上説明したように、本発明の実施の形態１の変復調装置を用いることにより、セレクタ２５は、変復調装置１０が動作しているモードが調整モードか、通信モードかによって、周波数を選択してローカル信号を出力することができる。つまり、調整モードの場合、中間周波数信号ＩＦＩＮに設定されている周波数と同一の周波数のローカル信号を用いて変調信号を生成することができる。これにより、直交復調器３２は、変調器側から出力信号ＩＦＬＯＯＰＢＡＣＫＯＵＴを取得する場合、周波数変換部１５における周波数変換を行うことなく、出力信号ＩＦＬＯＯＰＢＡＣＫＯＵＴを取得することができる。これにより、出力信号ＩＦＬＯＯＰＢＡＣＫＯＵＴは、周波数変換部１５におけるノイズの影響を受けることはない。
【００４５】
なお、本発明は上記実施の形態に限られたものではなく、趣旨を逸脱しない範囲で適宜変更することが可能である。
【００４６】
以上、実施の形態を参照して本願発明を説明したが、本願発明は上記によって限定されるものではない。本願発明の構成や詳細には、発明のスコープ内で当業者が理解し得る様々な変更をすることができる。
【００４７】
この出願は、２０１０年６月２４日に出願された日本出願特願２０１０−１４３６３３を基礎とする優先権を主張し、その開示の全てをここに取り込む。
【符号の説明】
【００４８】
１０  変復調装置
１１  送信部
１２  変調部
１３  受信部
１４  復調部
１５  周波数変換部
１６  調整部
２１  Ｄ／Ａ変換器
２２  Ｄ／Ａ変換器
２３  直交変調器
２４  セレクタ
２５  セレクタ
２６  発振器
２７  発振器
２８  振幅調整回路
３１  セレクタ
３２  直交復調器
３３  発振器
３４  Ａ／Ｄ変換器
３５  Ａ／Ｄ変換器
３６  復調器補正回路
３７  位相回転器
３８  ＣＡＲＲ  ＰＤ
３９  ＣＡＲＲ  ＬＰＦ
４０  数値制御発振器
４１  変調器振幅補正回路
４２  周波数変換器
４３  発振器
５０  外部装置
【図１】
0005500251.tif 000002
【図２】
0005500251.tif 000003
【図３】
0005500251.tif 000004
【図４】
0005500251.tif 000005
【図５】
0005500251.tif 000006